(57)【特許請求の範囲】
【請求項１】
冷凍サイクルを構成する機器を備えた冷却装置において、
信号線に接続されたコントローラと、前記機器に対してそれぞれ設けられたスイッチングユニットとを備え、
このスイッチングユニットは、信号線に接続された整流素子と、この整流素子の後段に接続されたコンデンサと、このコンデンサと前記整流素子の接続点に接続されたフォトダイオードと、前記機器の電源ラインに介設され、前記フォトダイオードによりＯＮ／ＯＦＦされるフォトスイッチと、前記フォトダイオードを制御するスイッチングチップとを備えると共に、
このスイッチングチップは、前記フォトダイオードへの通電を制御するスイッチング手段と、自らのＩＤコードを保有した記憶手段と、前記信号線を介して前記コントローラとデータの授受を行う送受信手段と、この送受信手段からのデータに基づき前記スイッチング手段を制御する制御手段と、前記信号線が高電位となっている間に充電を行い、低電位となっている間は放電して前記各手段の電源を賄う蓄電素子とを備えていることを特徴とする冷却装置。
【発明の詳細な説明】
【０００１】
【発明の属する技術分野】
本発明は、例えば業務用・家庭用冷蔵庫、低温ショーケース、プレハブ冷蔵庫、空気調和機、自動販売機などに使用されるスイッチングユニットを備えた冷却装置に関するものである。
【０００２】
【従来の技術】
従来よりこの種冷蔵庫や低温ショーケースなどにおいては、冷却装置を構成するコンプレッサ、凝縮器、冷却器などを内蔵し、或いは、コンプレッサ、凝縮器は別置きとし、このコンプレッサから吐出された冷媒を凝縮器にて凝縮し、減圧装置にて減圧した後、冷却器に供給して冷却効果を発揮させ、この冷却器にて冷却された冷気を冷却用ファンにて庫内に循環して所定の低温度に冷却している。
【０００３】
また、コンプレッサや凝縮器周辺には凝縮器用ファンが設置され、この凝縮器用ファンにて凝縮器やコンプレッサを空冷する構成とされている。
【０００４】
【発明が解決しようとする課題】
このような冷却貯蔵庫では庫内温度の制御、或いは、コンプレッサや凝縮器の保護などの各種用途に応じた温度センサーが取り付けられ、それらの数は機種によって異なる。また、ファンの数や結露防止用の防露ヒータなどの数も機種によって異なって来るため、それらを制御するスイッチを含む電気系の配線やこれらを制御する制御装置の構成も機種毎に異なってくる。
【０００５】
そのため、特に他機種少量生産される業務用の機器などにおいては、生産性が著しく低下しており、改善が望まれていた。
【０００６】
本発明は、係る従来の技術的課題を解決するために成されたものであり、部品共通化と配線の簡素化による著しい生産性の向上とコストの削減を図ることができるスイッチングユニットを備えた冷却装置を提供するものである。
【０００７】
【課題を解決するための手段】
本発明の冷却装置は、冷凍サイクルを構成する機器を備えたものであって、信号線に接続されたコントローラと、機器に対してそれぞれ設けられたスイッチングユニットとを備え、このスイッチングユニットは、信号線に接続された整流素子と、この整流素子の後段に接続されたコンデンサと、このコンデンサと整流素子の接続点に接続されたフォトダイオードと、機器の電源ラインに介設され、フォトダイオードによりＯＮ／ＯＦＦされるフォトスイッチと、フォトダイオードを制御するスイッチングチップとを備えると共に、このスイッチングチップは、フォトダイオードへの通電を制御するスイッチング手段と、自らのＩＤコードを保有した記憶手段と、信号線を介してコントローラとデータの授受を行う送受信手段と、この送受信手段からのデータに基づきスイッチング手段を制御する制御手段と、信号線が高電位となっている間に充電を行い、低電位となっている間は放電して各手段の電源を賄う蓄電素子とを備えているものである。
【０００８】
本発明によれば、スイッチングチップの制御手段は、信号線を介して送受信手段により受信したコントローラからのデータに基づき、スイッチング手段を制御してフォトダイオードによりフォトトランジスタをＯＮ／ＯＦＦすることにより、機器の通電を制御するので、コントローラは支障無く機器の制御を実行することができる。
【０００９】
この場合、スイッチングチップを含むスイッチングユニット全体がデータの授受を行うための信号線からの電力によって動作すると共に、記憶手段には自らのＩＤコードを保有しているので、信号線にスイッチングユニットを接続するだけでコントローラはスイッチングユニットを識別でき、スイッチングユニットの配線は完了する。これにより、所謂プラグインによってスイッチングユニットを配線することが可能となり、著しい配線の簡素化を図ることが可能となる。また、スイッチングユニットの数などに係わらずコントローラ側には共通のソフトウエアを使用できるので、コントローラ側の部品の共通化によるコストの著しい削減を図ることも可能となるものである。
【００１０】
【発明の実施の形態】
以下、図面に基づき本発明の実施形態を詳述する。図１は本発明を適用した実施例としての業務用の冷蔵庫１の概略断面図、図２は冷蔵庫１の電気系の配線図を示している。図１において、冷蔵庫１は前面に開口する断熱箱体２により本体５を構成されており、この断熱箱体２内に貯蔵室３が構成されている。この貯蔵室３の前面開口は扉４により開閉自在に閉塞されている。
【００１１】
また、貯蔵室３内には冷却装置の冷凍サイクルを構成する冷却器６とモータにて駆動される冷却ファン７が設置されている。また、断熱箱体２の開口縁には結露防止用の防露ヒータ８が配設されると共に、扉４の前面にはコントローラとしてのコントロールボックス９の操作パネル１１が取り付けられている。
【００１２】
一方、断熱箱体２の下側には機械室１２が形成されており、この機械室１２内には前記冷却器６と共に冷却装置の冷凍サイクルを構成するコンプレッサ１３、凝縮器１４、凝縮器用ファン１６などが設置されている。
【００１３】
前記コンプレッサ１３が運転されると、コンプレッサ１３から吐出された高温高圧の冷媒は凝縮器１４にて放熱して凝縮し、図示しない減圧装置にて減圧された後、冷却器６に供給される。冷却器６ではこの冷媒が蒸発することにより冷却作用を発揮し、その後低温のガス冷媒はコンプレッサ１３に再び帰還する。
【００１４】
冷却ファン７が運転されると、冷却器６で冷却された冷気は貯蔵室３内に循環され、これによって、貯蔵室３内は冷却される。また、凝縮器用ファン１６が運転されると、外気を凝縮器１４、コンプレッサ１３に通風するので、これらは空冷される。更に、防露ヒータ８に通電されると断熱箱体２の開口縁が加熱され、結露が防止されるものである。
【００１５】
次に、図２において２１は冷却貯蔵庫１の本体５内に配線されたAC電源線であり、２２はデータの授受を行うための信号線である。AC電源線２１と信号線２２には前記コントロールボックス９が接続されると共に、コンプレッサ１３の駆動基板２３、前記各ファン７、１６の電源基板２４及び前記防露ヒータ８の電源基板２６はAC電源線２１に接続される。
【００１６】
また、信号線２２にはチップ状の温度センサー２７と、前記駆動基板２３、電源基板２４、２６にそれぞれ取り付けられたチップ状のスイッチング素子（スイッチングチップ）２８・・がそれぞれコネクタを介して接続される。尚、電源基板２４にはスイッチング素子２８を一つ示しているが、実際には各ファン７、１６に対してそれぞれ設けられる。
【００１７】
尚、実施例ではこれら駆動基板２３と電源基板２４、２６が、コンプレッサ１３、各ファン７、１６及び防露ヒータ８と別体で構成されたものを示しているが、これら駆動基板２３と電源基板２４、２６を、それぞれのスイッチング素子２８と共に、コンプレッサ１３、各ファン７、１６及び防露ヒータ８にそれぞれ内蔵させた構成としても良い。
【００１８】
係る構成によれば、コンプレッサ１３やファン７、１６或いは防露ヒータ８に内蔵された各スイッチング素子２８を信号線２２のコネクタに接続するだけで配線が完了するかたちとなるため、組立・配線作業性が一段と向上する。
【００１９】
前記コントロールボックス９の構成を図３に示す。コントロールボックス９にはコントローラ（基板）３６が設けられている。このコントローラ３６は、ＣＰＵ（マイクロコンピュータ）３１、記憶手段としてのメモリ３２、Ｉ／Ｏインターフェース３３及び送受信手段としてのバスＩ／Ｏインターフェース３４などから構成されている。
【００２０】
また、コントロールボックス９にはＬＥＤなどから構成された表示器３７と、入力手段としてのスイッチ３８と、切換器３９など設けられており、前記表示器３７とスイッチ３８はＩ／Ｏインターフェース３３に接続されて前記操作パネル１１に配設されている。
【００２１】
また、前記バスＩ／Ｏインターフェース３４は前記切換器３９を介して信号線２２に接続され、信号線２２を介して前記温度センサー２７やスイッチング素子２８・・・とデータの授受を行う。
【００２２】
切換器３９は電話回線などの通信線４２を介して外部のパソコンＰなどに接続されており、コントローラ３６若しくはパソコンＰからの指示により、信号線２２に接続される信号系をバスＩ／Ｏインターフェース３４か通信線４２に切り換え、また、バスＩ／Ｏインターフェース３４と通信線４２との接続を制御するものである。
【００２３】
尚、コントローラ３６には前記温度センサー２７やスイッチング素子２８、パソコンＰなどとデータ通信を行うための所定の通信プロトコルや温度センサー２７やスイッチング素子２８を識別するためのソフトウエアが設定されているものとする。
【００２４】
次ぎに、前記温度センサー２７の構成を図４〜図６に示す。温度センサー２７は、センサー側制御手段としてのＣＰＵ４３と、記憶手段としてのメモリ４４と、送受信手段としてのＩ／Ｏインターフェース４６と、Ａ／Ｄ変換器４７と、このＡ／Ｄ変換器４７に接続された温度検出素子としてのセンサ部４８と、蓄電素子としてのコンデンサ４９と、整流素子としてのダイオード５１などから構成されている。
【００２５】
この場合、コンデンサ４９はダイオード５１の出力側に接続され、このダイオード５１とコンデンサ４９との接続点に各素子が接続されている。信号線２２には例えば＋５Ｖの電位（高電位）が印加されており、データはこの高電位から例えば０Ｖの低電位に下がるパルスにて構成される。
【００２６】
そして、温度センサー２７が信号線２２に接続されると、データを構成する高電位と低電位のパルス信号が高電位となっている間はそのまま各素子に給電が成され、コンデンサ４９にも充電される。そして、低電位となっている間はコンデンサ４９から放電され、各素子の電源が賄われる構成とされている。
【００２７】
尚、温度センサー２７にはＶｃｃ（ＤＣ＋５Ｖ）電源端子４５も設けられ、ダイオード５１とコンデンサ４９との接続点に接続されており、温度センサー２７は、このＶｃｃ電源端子４５を電源線に接続すれば、各素子は電源線からの給電によっても動作することができるように構成されている。即ち、その場合にはコンデンサ４９に充填すること無く、各素子は動作するようになるので、検査時などの温度センサー２７を迅速に動作させたい場合に利便性が向上する。
【００２８】
また、ＣＰＵ４３はセンサ部４８が検出する温度データをＡ／Ｄ変換器４７を介して取り込み、一旦メモり４４に書き込む。そして、Ｉ／Ｏインターフェース４６により、信号線２２を介してコントローラ３６からポーリングされると、メモリ４４に書き込まれた温度データをＩ／Ｏインターフェース４６により信号線２２を介してコントローラ３６に送信する。
【００２９】
ここで、メモリ４４には温度センサー２７自体のＩＤコードやセンサーである旨の識別データ、警報温度などの設定値データ及びコントローラ３６との間のデータ通信を行うためのプロトコルなどが記憶されている。また、温度センサー２７において故障が生じている場合には当該故障データもメモリ４４に書き込まれ、コントローラ３６に送信される。
【００３０】
係る温度センサー２７は図５に示される如く幅５ｍｍ程の基板５２に取り付けられ、更に、ケース５３内に収納された後、樹脂５４にてモールドされている。このとき、基板５２の表面はプライマ処理されており、樹脂５４との密着性・防水性は向上されている。尚、５６は基板５２から引き出されたリード線であり、これの表面もプライマ処理されている。また、５７は信号線２２と接続するためのコネクタである。
【００３１】
一方、前記スイッチング素子２８の構成を図７に示す。スイッチング素子２８は、スイッチング素子側制御手段としてのＣＰＵ５８と、記憶手段としてのメモリ５９と、送受信手段としてのＩ／Ｏインターフェース６１と、ドライバとしてのＩ／Ｏインターフェース６２と、このＩ／Ｏインターフェース６２に接続されたスイッチング手段としてのトランジスタ６３と、蓄電素子としてのコンデンサ６４と、整流素子としてのダイオード６６などから構成されている。
【００３２】
この場合、コンデンサ６４はダイオード６６の出力側に接続され、このダイオード６６とコンデンサ６４との接続点に各素子が接続されている。スイッチング素子２８が信号線２２に接続されると、前述の如くデータを構成する高電位と低電位のパルス信号が高電位となっている間はそのまま各素子に給電が成され、コンデンサ６４にも充電される。そして、低電位となっている間はコンデンサ６４から放電され、各素子の電源が賄われる構成とされている。
【００３３】
尚、スイッチング素子２８にも図７に破線で示す如く、ダイオード６６とコンデンサ６４との接続点に接続されたＶｃｃ（ＤＣ＋５Ｖ）電源端子６５を設け、このＶｃｃ電源端子６５を電源線に接続すれば、スイッチング素子２８の各素子は電源線からの給電によっても動作することができるようになる。即ち、その場合にはコンデンサ６４に充填すること無く、各素子は動作するようになるので、検査時などのスイッチング素子２８を迅速に動作させたい場合に利便性が向上する。
【００３４】
また、ＣＰＵ５８はＩ／Ｏインターフェース６１により、信号線２２を介してコントローラ３６からＯＮ／ＯＦＦデータが送信されると、このＯＮ／ＯＦＦデータに基づき、Ｉ／Ｏインターフェース６２によりトランジスタ６３をＯＮ／ＯＦＦする。
【００３５】
ここで、メモリ５９にはスイッチング素子２８自体のＩＤコードやスイッチング素子である旨の識別データ及びコントローラ３６との間のデータ通信を行うためのプロトコルなどが記憶されている。また、スイッチング素子２８において故障が生じている場合には当該データもメモリ５９に書き込まれ、コントローラ３６に送信される。
【００３６】
係るスイッチング素子２８は各駆動基板２３、電源基板２４、２６上において図８の如く配線されてスイッチングユニット６８を構成する。即ち、６９はフォトダイオード６９Ａとフォトスイッチとしてのフォトトライアック６９Ｂから成るフォトカプラであり、７１は抵抗、７２は整流素子としてのダイオード、７３は蓄電素子としてのコンデンサ７４である。
【００３７】
この場合、コンデンサ７４はダイオード７２の出力側に接続され、このダイオード７２とコンデンサ７４との接続点とスイッチング素子２８のトランジスタ６３のコレクタ端子（図７にＳ２で示す）間に抵抗７１とフォトダイオード６９Ａが直列に接続される。また、スイッチング素子２８の端子Ｓ１（図７）はダイオード７２の手前に接続される。そして、フォトトライアック６９ＢはAC電源線２１とコンプレッサ１３、ファン７、１５、防露ヒータ８間にそれぞれ介設される。
【００３８】
ダイオード７２が信号線２２に接続されると、データを構成する高電位と低電位のパルス信号が高電位となっている間はそのまま抵抗７１を介してフォトダイオード６９Ａに給電が成され、コンデンサ７４にも充電される。そして、低電位となっている間はコンデンサ７４から放電されて、フォトダイオード６９Ａの電源を賄う構成とされている。
【００３９】
尚、同様にダイオード７２とコンデンサ７４の接続点にＶｃｃ電源端子６０を接続し、このＶｃｃ電源端子６０を電源線に接続すれば、フォトダイオード６９Ａは電源線からの給電によっても動作することができるようになる。即ち、その場合にはコンデンサ７４に充填すること無く、各素子は動作するようになるので、検査時などに迅速に動作させたい場合に利便性が向上する。
【００４０】
以上の構成で、動作を説明する。尚、この場合、切換器３９はバスＩ／Ｏインターフェース３４を信号線２２に接続しているものとする。先ず、冷蔵庫１の組立完了時の動作を説明する。各温度センサー２７やスイッチング素子２８・・が信号線２２に接続されたものとすると、コントローラ３６のＣＰＵ３１は先ず信号線２２への各素子（温度センサー２７、スイッチング素子２８）の接続状況をスキャンする。
【００４１】
温度センサー２７やスイッチング素子２８のＣＰＵ４３、５８はコントローラ３６からのポーリングに対してメモリ４４、５９に記憶されている自らのＩＤコードを返信する。コントローラ３６のＣＰＵ３１は返信されたＩＤコードにより、温度センサー２７とスイッチング素子２８・・の接続状況を識別し、メモリ３２に保有すると共に、以後はこのＩＤコードを用いて各素子に対してデータを送信することになる。
【００４２】
次ぎに、実際の制御動作を説明する。コントローラ３６のＣＰＵ３１は温度センサー２７に所定の周期でポーリングを行う。このポーリングは前述のＩＤコードに基づいて行われる。温度センサー２７のＣＰＵ４３はこのポーリングに応えて前述の如く温度データをコントローラ３６に送信する。コントローラ３６のＣＰＵ３１は受け取った温度データを一旦メモり３２に書き込み、当該温度データと設定温度とを比較してＯＮ／ＯＦＦデータを、駆動基板２３のスイッチング素子２８のＩＤコードと共に信号線２２に送信する。
【００４３】
駆動基板２３のスイッチング素子２８のＣＰＵ５８は自らのＩＤコードのＯＮ／ＯＦＦデータを受信すると、それに基づいて前述の如くトランジスタ６３をＯＮ／ＯＦＦする。このトランジスタ６３のＯＮ／ＯＦＦにより、フォトダイオード６９ＡがＯＮ（発光）／ＯＦＦ（消灯）し、それによって、フォトトライアック６９ＢがＯＮ／ＯＦＦされ、これによって、コンプレッサ１３が起動／停止される。
【００４４】
尚、各ファン７、１５及び防露ヒータ８は連続通電であるので、その旨のＯＮ／ＯＦＦデータが、各電源基板２４、２６のスイッチング素子２８のＩＤコードに基づいて送信される。そして、各スイッチング素子２８は当該ＯＮ／ＯＦＦデータに基づいて各ファン７、１５若しくは防露ヒータ８を運転若しくは通電するものである。
【００４５】
尚、図９はスイッチングユニット６８の他の回路例を示している。尚、図中図８と同一符号は同一のものとする。この場合、７６はフォトダイオード７６Ａとフォトスイッチを構成するフォトトランジスタ７６Ｂから成るフォトカプラである。そして、ダイオード７２とコンデンサ７４との接続点とスイッチング素子２８のトランジスタ６３のコレクタ端子（図７にＳ２で示す）間に抵抗７１とフォトダイオード７６Ａが直列に接続される。
【００４６】
一方、AC電源線２１とコンプレッサ１３、ファン７、１５、防露ヒータ８間にはそれぞれトライアック８３が介設されており、このトライアック８３の両端間にはダイオードブリッジから成る全波整流回路８１の入力側（上下）とコンデンサ８２の直列回路が並列に接続されている。そして、この整流回路８１とコンデンサ８２の接続点がトライアック８３のゲートに接続されている。
【００４７】
また、整流回路８１の出力側（左右）には抵抗７８とトランジスタ７９の直列回路が接続され、更に、この直列回路には抵抗７７と前記フォトトランジスタ７６Ｂの直列回路が並列に接続されている。また、フォトトランジスタ７６Ｂのコレクタはトランジスタ７９のベースに接続されている。
【００４８】
以上の構成で、駆動基板２３のスイッチング素子２８のＣＰＵ５８は自らのＩＤコードのＯＮ／ＯＦＦデータを受信すると、それに基づいて前述の如くトランジスタ６３をＯＮ／ＯＦＦする。このトランジスタ６３のＯＮ／ＯＦＦにより、フォトダイオード７６ＡがＯＮ（発光）／ＯＦＦ（消灯）し、それによって、フォトトランジスタ７６ＢがＯＮ／ＯＦＦされる。
【００４９】
トランジスタ６３がＯＮし、フォトダイオード７６ＡがＯＮしてフォトトランジスタ７６ＢがＯＮされると、トランジスタ７９がＯＦＦし、トライアック８３もＯＦＦする。従って、この状態ではコンプレッサ１３は停止である。そして、トランジスタ６３がＯＦＦし、フォトダイオード７６ＡがＯＦＦしてフォトトランジスタ７６ＢがＯＦＦされると、トランジスタ７９がＯＮし、トライアック８３もＯＮする。これによって、コンプレッサ１３が起動されるものである。即ち、この場合スイッチング素子２８のトランジスタ６３のＯＮ／ＯＦＦ動作とコンプレッサ１３の起動／停止は図８の回路とは逆になる。
【００５０】
ここで、温度センサー２７や各スイッチング素子２８・・に故障が発生していると、当該故障データは各素子のＣＰＵからコントローラ３６に送信される。コントローラ３６のＣＰＵ３１は係る故障データを受け取ると、表示器３７に当該温度センサー２７或いはスイッチング素子２８・・に故障が生じている旨、表示する。更に、切換器３９によりバスＩ／Ｏインターフェース３４を通信線４２に接続してパソコンＰにその旨警報する。
【００５１】
更に、コントローラ３６のＣＰＵ３１が故障した場合、自動的に或いはパソコンＰからの指示によって切換器３９により信号線２２を通信線４２に接続する。これにより、各温度センサー２７とスイッチング素子２８・・とのデータの授受・制御は、以後パソコンＰに取って変わり、パソコンＰからの制御によって各機器が制御されるようになる。
【００５２】
尚、パソコンＰには複数台の冷蔵庫１・・が通信線４２を介して接続されており、前述の如き故障により、或いは、パソコンＰからの指示で制御をパソコンＰが取って変わった場合には、各冷蔵庫１・・の運転をパソコンＰにて集中制御することができる。即ち、その場合には例えば各冷蔵庫１・・のコンプレッサ１３の起動タイミングをずらして消費電力の平準化を行うなどの制御も可能となる。
【００５３】
また、実施例では業務用冷蔵庫にて本発明を説明したが、それに限らず、家庭用冷蔵庫や低温ショーケース、プレハブ冷蔵庫、空気調和機、自動販売機などの各種電気機器、或いは、自動車、家屋におけるホームオートメーション・警備システムなどにも本発明は有効である。
【００５４】
【発明の効果】
以上詳述した如く本発明によれば、スイッチングチップの制御手段は、信号線を介して送受信手段により受信した外部のコントローラからのデータに基づき、スイッチング手段を制御してフォトダイオードによりフォトトランジスタをＯＮ／ＯＦＦすることにより、機器の通電を制御するので、外部のコントローラは支障無く機器の制御を実行することができる。
【００５５】
この場合、スイッチングチップを含むスイッチングユニット全体がデータの授受を行うための信号線からの電力によって動作すると共に、記憶手段には自らのＩＤコードを保有しているので、信号線にスイッチングユニットを接続するだけでコントローラはスイッチングユニットを識別でき、スイッチングユニットの配線は完了する。これにより、所謂プラグインによってスイッチングユニットを配線することが可能となり、著しい配線の簡素化を図ることが可能となる。また、スイッチングユニットの数などに係わらずコントローラ側には共通のソフトウエアを使用できるので、コントローラ側の部品の共通化によるコストの著しい削減を図ることも可能となるものである。
【図面の簡単な説明】
【図１】  本発明を適用したの実施例の業務用冷蔵庫の概略断面図である。
【図２】  図１の冷蔵庫の電気系の配線図である。
【図３】  コントロールボックスの電気回路のブロック図である。
【図４】  温度センサーの電気回路のブロック図である。
【図５】  温度センサーの斜視図である。
【図６】  温度センサーをモールドした状態の平面図である。
【図７】  スイッチング素子の電気回路のブロック図である。
【図８】  スイッチング素子を用いたスイッチングユニットの電気回路図である。
【図９】  スイッチング素子を用いた他の実施例のスイッチングユニットの電気回路図である。
【符号の説明】
１  冷蔵庫
６  冷却器
７  冷却ファン
８  防露ヒータ
９  コントロールボックス
１３  コンプレッサ
１４  凝縮器
１６  凝縮器用ファン
２２  信号線
２７  温度センサー
２８  スイッチング素子
３１、４３、５８  ＣＰＵ
３２、４４、５９  メモリ
４６、６１  Ｉ／Ｏインターフェース
４８  センサ部
４９、６４、７４  コンデンサ
５１、６６、７２  ダイオード
６３  トランジスタ
６８  スイッチングユニット
６９、７６  フォトカプラ
６９Ａ、７６Ａ  フォトダイオード
６９Ｂ  フォトトライアック
７６Ｂ  フォトトランジスタ
８１  全波整流回路
８３  トライアック
【図１】
0004404394.tif 000002
【図２】
0004404394.tif 000003
【図３】
0004404394.tif 000004
【図４】
0004404394.tif 000005
【図５】
0004404394.tif 000006
【図６】
0004404394.tif 000007
【図７】
0004404394.tif 000008
【図８】
0004404394.tif 000009
【図９】
0004404394.tif 000010